(57)【要約】【課題】  携帯端末に装着するＩＣカードの利用地域を、ＩＣカード利用者毎に定めて制限できるようにしたＩＣカードの利用地域限定システムを提供する。【解決手段】  携帯端末と、前記携帯端末に装着されるＩＣカードと、前記携帯端末と通信を行う送受信装置とからなり、前記送受信装置は、該携帯端末が存在する位置を特定する位置情報を送信する手段を有し、前記携帯端末は、受信した位置情報をＩＣカードの記憶手段に書き込む手段を有し、前記ＩＣカードは、利用できる地域を特定した利用地域情報と、該ＩＣカードを利用する際に必要な情報とが記憶された記憶手段と、ＩＣカードに入力された位置情報と、前記記憶手段に記憶されている利用地域情報とを照合する照合手段と、前記照合手段による照合の結果、利用地域内であると判定された場合に、該ＩＣカードの記憶手段に記憶されている情報の読み出しを可能とする手段とを備えている。【選択図】        図１
2005056293.tif 000002
【特許請求の範囲】
【請求項１】
携帯端末と、前記携帯端末と着脱可能に装着されるＩＣカードと、前記携帯端末と無線により通信を行う送受信装置と、からなるＩＣカードの利用地域限定システムであって、
前記送受信装置は、前記携帯端末に対して該携帯端末が存在する位置を特定する位置情報を送信する手段を有し、
前記携帯端末は、前記送受信装置から受信した位置情報を前記ＩＣカードの記憶手段に書き込む手段を有し、
前記ＩＣカードは、該ＩＣカードが利用できる地域を特定した利用地域情報と、該ＩＣカードを利用する際に必要な情報とが記憶された記憶手段と、前記携帯端末から該ＩＣカードに入力された位置情報と、前記記憶手段に記憶されている利用地域情報とを照合する照合手段と、前記照合手段による照合の結果、前記位置情報で特定された位置が、前記利用地域情報の利用地域内にあると判定された場合に、該ＩＣカードの記憶手段に記憶されている情報の読み出しを可能とする手段とを備えていることを特徴とするＩＣカードの利用地域限定システム。
【発明の詳細な説明】
【技術分野】
【０００１】
本発明は、無線により通信を行う携帯端末と、前記携帯端末と着脱可能に装着されるＩＣカードと、前記携帯端末に対して無線により情報の送信を行う送信装置と、からなるＩＣカードの利用地域限定システムに関する。
【背景技術】
【０００２】
近年、携帯電話等の携帯端末にＩＣカードを装着して、インターネット等の通信回線を介してサーバと通信を行ない、種々の情報サービスの提供を行う通信システムが公知となっている。（例えば、特許文献１または特許文献２、参照）
このような通信システムでは、通信におけるセキュリティ上の安全性が確保されていることが重要であるため、例えば、本人認証用のＰＩＮ（Ｐｅｒｓｏｎａｌ  Ｉｄｅｎｔｉｆｉｃａｔｉｏｎ  Ｎｕｍｂｅｒ）や、通信データを暗号化するために必要な鍵情報などを記憶させたＩＣカードを、携帯端末に着脱可能に装着させるようにして、ＩＣカードを有しない第三者が携帯端末を用いて、不正に通信によるアクセスが行えないようにしてある。
【０００３】
通常、これらの携帯電話等の携帯端末を用いた通信システムでは、ＩＣカードを装着した携帯端末があれば、どこからでも無線により情報の受信や電子取引きなどが可能であり、利用者がどこにいても制限がないのが現状である。
【０００４】
しかしながら、ＩＣカードを装着した携帯端末があれば、利用地域の制限がなくアクセスが可能であることが困る場合もある。
【０００５】
例えば、ＩＣカードが盗難などにあって第三者に渡り、この第三者が盗んだ地域から遠く離れた地域に逃げてから、このＩＣカードを利用して携帯電話等の携帯端末を用いて不正な電子取引きを行った場合には、簡単に犯人を捕まえることが難しいだけでなく、ＩＣカードの不正使用を防止することも容易でないという問題がある。
【特許文献１】特開２００１−２４３１９６号公報
【特許文献２】特開２００２−２１６１９３号公報
【発明の開示】
【発明が解決しようとする課題】
【０００６】
本発明は、携帯電話等の携帯端末に装着するＩＣカードの利用地域を、ＩＣカード利用者毎に定めて制限することができるようにして、ＩＣカードが盗難などされても、第三者による不正使用が広範囲の地域で行なわれるのを防止したＩＣカードの利用地域限定システムを提供する。
【課題を解決するための手段】
【０００７】
本発明のＩＣカードの利用地域限定システムは、携帯端末と、前記携帯端末と着脱可能に装着されるＩＣカードと、前記携帯端末と無線により通信を行う送受信装置と、からなるＩＣカードの利用地域限定システムであって、前記送受信装置は、前記携帯端末に対して該携帯端末が存在する位置を特定する位置情報を送信する手段を有し、前記携帯端末は、前記送受信装置から受信した位置情報を前記ＩＣカードの記憶手段に書き込む手段を有し、前記ＩＣカードは、該ＩＣカードが利用できる地域を特定した利用地域情報と、該ＩＣカードを利用する際に必要な情報とが記憶された記憶手段と、前記携帯端末から該ＩＣカードに入力された位置情報と、前記記憶手段に記憶されている利用地域情報とを照合する照合手段と、前記照合手段による照合の結果、前記位置情報で特定された位置が、前記利用地域情報の利用地域内にあると判定された場合に、該ＩＣカードの記憶手段に記憶されている情報の読み出しを可能とする手段とを備えていることを特徴とする。
【発明の効果】
【０００８】
本発明は、ＩＣカードが装着された携帯端末によるアクセスが行なわれる際に、ＩＣカードに予め特定された利用地域情報の地域内での使用か否かを判別して、許可された地域外からの利用を制限することが可能であるので、ＩＣカードが盗難などされても、第三者による不正使用が広範囲な地域で行なわれるのを防止することができるという効果がある。
【発明を実施するための最良の形態】
【０００９】
以下、図面を参照しながら本発明について実施の形態を詳述する。
【００１０】
図１は、本発明の実施形態に係るＩＣカードの利用地域限定システムに使用される装置及び媒体を説明する外観図、図２は、本発明の実施形態に係るＩＣカードの利用地域限定システムの概要を説明する図、第３図は、本発明の実施形態に係るＩＣカードの利用地域限定システムのシステムブロック図、第４図は、本発明の実施形態に係るＩＣカードの利用地域限定システムに用いるＩＣカードのＣＰＵの機能ブロック図、図５は、本発明の実施形態に係るＩＣカードの利用地域限定システムの処理手順を示すフローチャートである。
【００１１】
図１に示すように、本発明の実施形態に係るＩＣカードの利用地域限定システムは、ＧＰＳ用の通信衛星１から送信されてくるＧＰＳ信号を受信して、これらの受信したＧＰＳ信号に基づいて、緯度及び経度による位置情報を演算して検出する機能を有する携帯端末である携帯電話機２と、この携帯電話機２に取り外し可能に装着されるＩＣカード３とが用いられる。
【００１２】
ＩＣカード３は、携帯電話機２に応じて様々なサイズが用いられ、ＵＩＭカードのような小さいサイズのＩＣカードも含まれる。
【００１３】
携帯電話機２には、ＩＣカード３を取り外し可能に装着するためのＩＣカード装着部が備えられ、個々の利用者毎に所有しているＩＣカード３を入れ替えることで、複数の利用者が共通して使用できるようになっている。
【００１４】
携帯電話機２は、利用者が所有するＩＣカード３を装着し、ＩＣカード３の記憶手段に記憶されている情報を利用することで、インターネットを介して各種の情報の提供が受けられたり、電子商取引きを行ったり、また店舗で商品を購入する際に利用できるポイントサービスやプリペイドサービスなどのサービス情報の受信などができるようになっている。
【００１５】
また、ＩＣカード３の記憶手段であるＥＥＰＲＯＭには、予めそのＩＣカード３を使用することが可能な地域を限定する利用地域情報が登録されていて、このＩＣカード３が装着された携帯電話機２により、ＩＣカード３に記憶された情報を利用する場合において、利用地域情報で特定された地域以外では利用できないように利用地域の制限がされている。
【００１６】
この利用地域情報は、利用者毎に異なる地域を定めることができ、各利用者に応じた地域を特定してＩＣカード３に登録させておくことで、ＩＣカード３の発行者側やサービス提供者側がＩＣカードの利用者に応じた利用制限を選択して定めることができるようにしてある。
【００１７】
次に、図２に基いて、本発明の実施形態に係るＩＣカードの利用地域限定システムの概要を説明する。
【００１８】
ここでは、ＩＣカード３が装着された携帯電話機２を所持する利用者４が、携帯電話機２を利用してインターネットを介してポイントサービス情報を受信することで、店舗で商品購入を行う際にこのポイントサービスによる特典を受けられるようにした場合を一例に挙げて説明する。
【００１９】
ＩＣカード３の記憶手段には、予めそのＩＣカード３を利用することが可能な利用可能地域を限定する利用地域情報が登録されているが、図２に示す場合では、ａ地点、ｂ地点、ｃ地点、ｄ地点の４つの地点で囲まれた矩形状の地域エリアが、ＩＣカード３を利用することが可能な利用可能地域として特定されて予め登録されているものである。
【００２０】
従って、Ａ店舗５ａが存在する場所は、ＩＣカード３を利用することが可能な利用可能地域内にあるが、Ｂ店舗５ｂが存在する場所は、ＩＣカード３を利用することができない利用可能地域外に位置している。
【００２１】
利用者４が、ＩＣカード３が装着された携帯電話機２を利用してインターネットを介してポイントサービス情報を受信する場合には、最初の段階でＩＣカード３の記憶手段に記憶されているＰＩＮや暗証番号などの認証用情報を使用したり、電子署名を行う場合には鍵情報などを利用しなければならないが、これらのＩＣカード３に記憶されたこれらの情報の読み出しは、ＩＣカード３が装着された携帯電話機２の存在場所により制限されている。
【００２２】
つまり、ＩＣカード３が装着された携帯電話機２が、予めそのＩＣカード３の記憶手段に登録されている利用地域情報の利用可能地域内に存在していると認証される場合に限って、これらのＩＣカード３の記憶手段に記憶された情報の読み取りができるように制限されている。
【００２３】
したがって、ＩＣカード３が装着された携帯電話機２が、利用可能地域外である場合には、ＩＣカード３の情報が利用出来ないので、ポイントサービスを受けることができないようにしてある。
【００２４】
図２に示した場合では、Ａ店舗５ａにおいて、利用者が携帯電話機２でＧＰＳ用の通信衛星１から送信されてくるＧＰＳ信号を受信して、緯度及び経度による位置情報を演算して検出したところ、ＩＣカード３を利用することが可能な利用可能地域内であると認証されるので、携帯電話機２がＩＣカード３の記憶手段に記憶されたＰＩＮや暗証番号などの認証用情報を使用したり、電子署名を行う場合には鍵情報を利用して、インターネットを介してサーバと通信を行ないポイントサービスが受けられることになる。
【００２５】
これに対して、Ｂ店舗５ｂにおいて、利用者が携帯電話機２でＧＰＳ用の通信衛星１から送信されてくるＧＰＳ信号を受信して、緯度及び経度による位置情報を演算して検出したところ、ＩＣカード３を利用することが可能な利用可能地域外として認証が受けられないため、携帯電話機２がＩＣカード３の記憶手段に記憶された情報の利用をすることができず、たとえインターネットを介してサーバと通信可能になっても取引き処理が拒否されてポイントサービスを受けることができない。
【００２６】
このように、たとえ同一の利用者であっても、その利用場所によってＩＣカード３の記憶手段に記憶された情報の使用制限が行なわれるようにしてある。
【００２７】
次に、本発明の実施形態に係るＩＣカードの利用地域限定システムに用いる携帯端末の一例として携帯電話機２と、この携帯電話機２に取り外し可能に装着されるＩＣカードとの構成を、図３のシステムブロック図に基いて説明する。
【００２８】
携帯電話機２には、ＧＰＳ用の通信衛星１から送信されてくるＧＰＳ信号を受信する送受信手段６、音声入力手段７、音声出力手段８、表示手段９、操作手段１０、記憶手段１１、ＧＰＳ演算手段１２、電源部１３、デジタル信号処理手段１４、入出力制御手段（Ｉ／Ｏ）１５、制御手段１６、などが備えられている。
【００２９】
音声入力手段７は、マイクで収集したアナログ音声信号をデジタル信号に変換する機能を有し、音声出力手段８は、デジタル信号処理装置１４から受信したデジタル音声信号により音声をスピーカなどにより発生させる機能を有している。
【００３０】
ＧＰＳ演算手段１２は、送受信手段６で受信したＧＰＳ信号に基づいて、緯度及び経度による位置情報を演算して検出する機能を有し、この位置情報は、入出力制御手段（Ｉ／Ｏ）１５を介してＩＣカード３に送られるように制御手段１６により制御されている。
【００３１】
また、ＩＣカード３は、入出力制御手段（Ｉ／Ｏ）１７、ＲＯＭ１８、ＲＡＭ１９、ＥＥＰＲＯＭ２０、ＣＰＵ２１、などを有している。
【００３２】
ＥＥＰＲＯＭ２０には、そのＩＣカード３を使用することが可能な地域を限定する利用地域情報２２と、必要に応じて、例えば、ＩＣカード３が装着された携帯電話機２によりインターネットを介してサーバと通信を行なって認証処理や決済処理などを行う際に必要なＰＩＮや暗証番号などの認証用情報や、電子署名を行う場合には鍵情報などが記憶されている。
【００３３】
更に、ＥＥＰＲＯＭ２０には、ＥＥＰＲＯＭ２０に記憶された情報の読み出しに対して、その読み出しを許可するか否かを判別するためのフラグ情報２３が記憶させておくフラグ書込領域が設けられ、このフラグ情報２３に基いて情報の読み出し管理が行なわれるようにしてある。
【００３４】
これらの処理は、ＲＯＭ１８やＥＥＰＲＯＭ２０に記憶されている処理プログラムに基いて処理が行なわれる。
【００３５】
また、ＣＰＵ２１には、照合手段２４、フラグ書込手段２５、制御手段２６などを有する。
【００３６】
照合手段２４は、携帯電話機２からＩＣカード３の入出力制御手段（Ｉ／Ｏ）１７を介して入力されたＧＰＳ信号に基づいて検出された緯度及び経度による位置情報と、予めＥＥＰＲＯＭ２０に記憶されている利用地域情報とを照合して、現在いる場所の位置が、利用地域情報で設定されている地域内にあるか否かを判定する機能を有している。
【００３７】
また、フラグ書換手段２５は、照合手段２４による判定の結果、その地域内であると判定された場合、ＥＥＰＲＯＭ２０のフラグ書込領域に、ＥＥＰＲＯＭ２０に記憶されている情報の読み取りを可能とするためのフラグを立て、また、照合手段２４による判定の結果、その地域外であると判定された場合、ＥＥＰＲＯＭ２０のフラグ書込領域に、ＥＥＰＲＯＭ２０に記憶されている情報の読み取りを不可とするため、フラグを消去する機能を有している。
【００３８】
ＥＥＰＲＯＭ２０のフラグ書込領域にフラグを立てる場合と、立てない場合のどちらを読み取り可能とするのかは、予め設定することで選択できる。
【００３９】
次に、本発明の実施形態に係るＩＣカードの利用地域限定システムの処理手順を、図５のフローチャートに基いて説明する。
【００４０】
まず、利用者４は、携帯電話機２にＩＣカード３を装着し、ＧＰＳ用の通信衛星１から送信されてくるＧＰＳ信号を受信できる状態にセットする。（ステップＳ１）
通信衛星１から送信されてくるＧＰＳ信号を携帯電話機２で受信する。（ステップＳ２）
携帯電話機２は、受信したＧＰＳ信号に基いて、ＧＰＳ演算手段１２によりその緯度及び経度を検出して位置情報として、携帯電話機２からＩＣカード３に入出力制御手段（Ｉ／Ｏ）１５，１７を介して入力される。（ステップＳ３）
次に、ＩＣカード３では、入力された位置情報が、予めＥＥＰＲＯＭ２０に記憶されている利用地域情報で設定されている地域内であるのか否かについて、照合手段２４で照合処理され判定される。（ステップＳ４）
この照合手段２４による判定結果が、地域内であると判定された場合には、フラグ書換手段２５によりＥＥＰＲＯＭ２０のフラグ書込領域に使用を可能とするフラグを書込む。（ステップＳ５）
また、この照合手段２４による判定結果が、地域外であると判定された場合には、フラグ書換手段２５によりＥＥＰＲＯＭ２０のフラグ書込領域にフラグを書き込まないか、または既にフラグが書き込まれている場合には、そのフラグを消去する。（ステップＳ６）
以上の処理により、利用者が予め定めた利用地域以外では、ＩＣカード３に記憶された情報が使用出来ないように制限することができるようにシステム化されている。
【図面の簡単な説明】
【００４１】
【図１】本発明の実施形態に係るＩＣカードの利用地域限定システムに使用される装置及び媒体を説明する外観図である。
【図２】本発明の実施形態に係るＩＣカードの利用地域限定システムの概要を説明する図である。
【図３】本発明の実施形態に係るＩＣカードの利用地域限定システムのシステムブロック図である。
【図４】本発明の実施形態に係るＩＣカードの利用地域限定システムに用いるＩＣカードのＣＰＵの機能ブロック図である。
【図５】本発明の実施形態に係るＩＣカードの利用地域限定システムの処理手順を示すフローチャートである。
【符号の説明】
【００４２】
１  通信衛星
２  携帯電話機
３  ＩＣカード
４  利用者
５ａ  Ａ店舗
５ｂ  Ｂ店舗
６  送受信手段
７  音声入力手段
８  音声出力手段
９  表示手段
１０  操作手段
１１  記憶手段
１２  ＧＰＳ演算手段
１３  電源部
１４  デジタル信号処理手段
１５、１７  入出力制御手段（Ｉ／Ｏ）
１６、２６  制御手段
１８  ＲＯＭ
１９  ＲＡＭ
２０  ＥＥＰＲＯＭ
２１  ＣＰＵ
２２  利用地域情報
２３  フラグ情報
２４  照合手段
２５  フラグ書換手段
【図１】
2005056293.tif 000003
【図２】
2005056293.tif 000004
【図３】
2005056293.tif 000005
【図４】
2005056293.tif 000006
【図５】
2005056293.tif 000007